(57)【特許請求の範囲】
【請求項１】
円柱形状の軸部を備えたスプールと、先端と後端とに遮光能を有する帯状のリーダーとトレーラーとが接着テープで接続され、トレーラー側からスプールの軸部に巻き付けられる写真フイルムストリップとからなる写真用ロールフイルムの製造方法において、
前記スプールに向けてトレーラーを供給する第１の工程と、トレーラーをスプールの軸部に巻き付ける第２の工程と、スプールに向けて写真フイルムストリップを供給する第３の工程と、トレーラーと写真フイルムストリップとを接着テープで接続する第４の工程と、写真フイルムストリップをスプールの軸部に巻き付ける第５の工程と、スプールに向けてリーダーを供給する第６の工程と、リーダーと写真フイルムストリップとを接着テープで接続する第７の工程と、リーダーをスプールの軸部に巻き付ける第８の工程とからなることを特徴とする写真用ロールフイルムの製造方法。
【請求項２】
円柱形状の軸部を備えたスプールと、先端と後端とに遮光能を有する帯状のリーダーとトレーラーとが接着テープで接続され、トレーラー側からスプールの軸部に巻き付けられる写真フイルムストリップとを備えた写真用ロールフイルムの製造装置において、
前記スプールを保持するとともに巻込み方向に回転させるスプール保持手段と、スプールに向けてトレーラーを搬送するトレーラー供給手段と、スプールに向けて写真フイルムストリップを搬送するフイルム供給手段と、写真フイルムストリップとトレーラーとを接着テープで接続する第１テープ貼付手段と、スプールに向けてリーダーを搬送するリーダー供給手段と、写真フイルムストリップとリーダーとを接着テープで接続する第２テープ貼付手段とからなることを特徴とする写真用ロールフイルムの製造装置。
【発明の詳細な説明】
【０００１】
【発明の属する技術分野】
本発明は、写真用ロールフイルムの製造方法及び装置の改良に関するものである。
【０００２】
【従来の技術】
写真用ロールフイルムには、一般に１２０タイプ，２２０タイプと呼ばれる種類がある。２２０タイプの写真用ロールフイルムは、円柱形状の軸部に軸方向に沿ってスリットが形成されたスプールと、このスプールの軸部に巻き込まれる写真フイルムストリップと、この写真フイルムストリップを遮光するために、写真フイルムストリップの先端と後端とに接着テープで接続される帯状のリーダーとトレーラーと、これらの巻き緩みを防止するためにリーダーの外周に巻き付けられる開封シールと、撮影後に別のスプールに巻き付けられた写真フイルムストリップの巻き緩み防止するためにトレーラーの外周に巻き付けられる封印シールとから構成されている。
【０００３】
上記２２０タイプの写真用ロールフイルムは、写真フイルムストリップをスプールに向けて搬送する途中で、搬送方向の先頭側にトレーラーを接着テープで接続し、搬送方向の後部側にリーダーを接着テープで接続し、トレーラーの端部をスプールのスリットに挿入し、その後にスプールを巻込み方向に回転させてトレーラー，写真フイルムストリップ，リーダーをスプールの軸部に巻き込んで製造されている。
【０００４】
【発明が解決しようとする課題】
しかしながら、上記製造方法では、写真フイルムストリップの搬送状態によっては、トレーラーとリーダーとが位置ずれした状態で接続されてしまうことがある。これによれば、写真フイルムストリップとトレーラー及びリーダーをスプールに巻き込む際にまっすぐに巻き込まれなくなってしまい、巻径が太くなったり、スプールのフランジに乗り上げてしまう等の巻き込み不良が発生するという問題があった。
【０００５】
本発明は、上記問題点を解決するためのもので、写真フイルムストリップとトレーラー及びリーダーの巻込み不良を防止することを目的とする。
【０００６】
【課題を解決するための手段】
上記問題点を解決するために、本発明の写真用ロールフイルムの製造方法は、スプールに向けてトレーラーを供給する第１の工程と、トレーラーをスプールの軸部に巻き付ける第２の工程と、スプールに向けて写真フイルムストリップを供給する第３の工程と、トレーラーと写真フイルムストリップとを接着テープで接続する第４の工程と、写真フイルムストリップをスプールの軸部に巻き付ける第５の工程と、スプールに向けてリーダーを供給する第６の工程と、リーダーと写真フイルムストリップとを接着テープで接続する第７の工程と、リーダーをスプールの軸部に巻き付ける第８の工程とから構成したものである。
【０００７】
また、本発明の写真用ロールフイルムの製造装置は、スプールを保持するとともに巻込み方向に回転させるスプール保持手段と、スプールに向けてトレーラーを搬送するトレーラー供給手段と、スプールに向けて写真フイルムストリップを搬送する写真フイルムストリップ供給手段と、写真フイルムストリップとトレーラーとを接着テープで接続する第１テープ貼付手段と、スプールに向けてリーダーを搬送するリーダー供給手段と、写真フイルムストリップとリーダーとを接着テープで接続する第２テープ貼付手段とから構成したものである。
【０００８】
【発明の実施の形態】
図２及び図３は、本発明の製造方法及び装置により製造される２２０タイプの写真用ロールフイルム２を示すものである。写真用ロールフイルム２は、プラスチックで成形されたスプール３と、長尺の写真フイルムが規定長さに切断された写真フイルムストリップ４と、この写真フイルムストリップ４の先端４ａと後端４ｂとに接続されるリーダー５及びトレーラー６と、接着テープ７及び８，開封シール９，封印シール１０とから構成されている。
【０００９】
スプール３は、円柱形状の軸部１２の両端に円板形状のフランジ１３が設けられたもので、この軸部１２に写真フイルムストリップ４とリーダー５及びトレーラー６とが巻き付けられる。フランジ１３の端面には、カメラ等のキー軸に係合されるチャッキング溝１４が形成されている。また、軸部１２には、細長いスリット１５が軸方向に沿って形成されている。
【００１０】
リーダー５とトレーラー６とは遮光紙によって形成されており、写真フイルムストリップ４の先端４ａと後端４ｂとに接続される一端５ａ，６ａがそれぞれ真っ直ぐにされ、他端５ｂ，６ｂがそれぞれ幅狭にされている。トレーラー６の他端６ｂは、写真用ロールフイルム２の製造段階でスリット１５に挿入され、リーダー５の他端５ｂはカメラに装填される際にカメラ内のスプール３のスリット１５に挿入される。また、リーダー５の他端５ｂには円形の係止孔１７が形成されている。
【００１１】
接着テープ７及び８は、リーダー５とトレーラー６とを写真フイルムストリップ４の先端４ａと後端４ｂとに接続する。接着テープ７には、フイルムタイプ，フイルムサイズ，フイルム種等のフイルム情報を表すバーコード１９が印刷されている。このバーコード１９は、例えばカメラ等に組み込まれたバーコードリーダーで読み取られ、カメラでの各種設定の切り換えや制御に用いられる。
【００１２】
開封シール９は、写真用ロールフイルム２が未使用の時にリーダー５の外周に巻き付けられ、写真フイルムストリップ４，リーダー５，トレーラー６が巻き緩むのを防止する。この開封シール９は、斜線で示す部分がリーダー５の他端５ｂ側の表面に貼着されてから、スプール３の軸部１２に巻き付けられたリーダー５の外周に巻き付けられる。
【００１３】
封印シール１０は、撮影後にカメラ側のスプール３に巻き付けられた写真フイルムストリップ４とリーダー５及びトレーラー６との巻緩みを防止するためにトレーラー６の外周に巻き付けられる。この封印シール１０は、製造時に斜線で示す一端のみがトレーラー６の他端６ｂ側の表面に貼付され、トレーラー６と一緒にスプール３に巻き付けられる。
【００１４】
図４に示すように、スリット１５の一方の内壁面１５ａには、略Ｔ字型の係止爪２１が一体に形成されており、この係止爪２１をリーダー５の係止穴１７に挿入することによって、スプール３にリーダー５を係止できるようになっている。これにより、カメラへの写真用ロールフイルム２の装填を容易にすることができる。なお、スリット１５の他方の内壁面１５ｂには、係止穴１７が係止爪２１から外れないようにリーダー５を押さえる一対の押さえリブ２２が一体に形成されている。
【００１５】
図５は、上記２２０タイプの写真用ロールフイルム２を製造する製造装置の概略を示すものである。この製造装置は、スプール３の供給を行うスプール供給ライン２５と、トレーラー６をスプール３に向けて搬送するトレーラー供給手段であるトレーラー供給ライン２６と、写真フイルムストリップ４をスプール３に向けて搬送するフイルム供給手段であるフイルム供給ライン２７と、リーダー５をスプール３に向けて搬送するリーダー供給手段であるリーダー供給ライン２８とから構成されている。
【００１６】
スプール供給ライン２５は、副制御部３０に制御されるモータ３１によって軸３２を中心に間欠に回転される円板形状のスプールターレット３３と、このスプールターレット３３の外周に配置された各装置部とから構成されている。副制御部３０は、マイクロコンピュータや各種制御回路からなり、製造装置全体を制御する主制御部３５によって制御され、また適宜得たデータを主制御部３５に入力する。
【００１７】
スプールターレット３３は、軸３２に回転自在に取り付けられており、モータ３１によって図中時計方向に３０度ずつ間欠回転される。このスプールターレット３３には、スプール３を保持するとともに巻き込み方向にスプール３を回転させるモータ（図示せず）をそれぞれ備えたスプール保持手段である１２個のスプールホルダ３７が設けられている。各スプールホルダ３７が停止する位置は、スプール３に対して各種作業が行われる第１ステーションＳＴ１〜第１０ステーションＳＴ１０となっている。
【００１８】
第１ステーションＳＴ１は、別のラインで製造され搬送されてきたスプール３をスプール供給部３９から受け取ってスプールホルダ３７にセットする。第２ステーションＳＴ２は、スプール位置決め部４０によってスプール３のスリット１５の向きを位置決めする。
【００１９】
第３ステーションＳＴ３は、トレーラー６をスプール３の軸部１２に巻き込む工程となっている。トレーラー６は、トレーラー供給ライン２６から第３ステーションＳＴ３のスプール３に向けて搬送されてきて、他端６ｂがスプール３のスリット１５に挿入される。副制御部３０は、スリット１５にトレーラー６が挿入されるとスプール３を巻き込み方向に回転させ、トレーラー６を軸部１２に巻き込む。
【００２０】
第４ステーションＳＴ４は、写真フイルムストリップ４をスプール３の軸部１２に巻き込む工程となっている。写真フイルムストリップ４は、フイルム供給ライン２７から第４ステーションＳＴ４のスプール３に向けて後端４ｂを先頭に搬送されてきて、その搬送途中でトレーラー６の一端６ａに接着テープ８によって接続される。副制御部３０は、トレーラー６に写真フイルムストリップ４が接続されるとスプール３を巻き込み方向に回転させ、写真フイルムストリップ４を軸部１２に巻き込む。
【００２１】
第５ステーションＳＴ５は、リーダー５をスプール３の軸部１２に巻き込む工程となっている。リーダー５は、リーダー供給ライン２８から第５ステーションＳＴ５のスプール３に向けて搬送されてきて、その搬送途中で一端５ａが接着テープ７によって写真フイルムストリップ４の先端４ａに接続される。副制御部３０は、写真フイルムストリップ４にリーダー５が接続されるとスプール３を巻込み方向に回転させ、リーダー５を軸部１２に巻き込む。
【００２２】
第３〜第５ステーションでトレーラー６，写真フイルムストリップ４，リーダー５が巻き込まれたスプール３は、これらが巻き緩まないように押さえられたままスプールターレット３３の回転によって次の第６ステーションＳＴ６に搬送される。第６ステーションＳＴ６では、折込み部４２によってリーダー５の他端５ｂを内側に折り込む。
【００２３】
第７ステーションＳＴ７は、副制御部３０によって制御されるシール巻付け部４４によって、リーダー５の外周に開封シール９が巻き付けられる。シール巻付け部４４は、ロール状に巻かれた離型紙ロール４５から開封シール９を剥がしてリーダー５の外周に巻き付ける。また、その際に、開封シール９に製造番号等の製造情報を印字する。
【００２４】
第８ステーションＳＴ８には、写真用ロールフイルム２の巻径を計測する巻径計測部４７が設けられている。第９ステーションＳＴ９には、不良品であると判断された写真用ロールフイルム２を装置外に排出する排出部４８が設けられている。第１０ステーションＳＴ１０は、良品であると判断された写真用ロールフイルム２を次の包装装置等に搬送するために集積する集積部４９が設けられている。
【００２５】
トレーラー供給ライン２６の端部には、長尺トレーラー５１がロール状に巻かれたトレーラーロール５２が配置されている。このトレーラーロール５２は、予めトレーラー６が連続して印刷された帯状の遮光紙からなり、トレーラー６の他端６ｂが先頭となるように裏面側が上方を向いている状態で図中左方に搬送される。この搬送路沿いには、搬送ローラ対５３，可動ローラ５４，シール貼付部５５，トリミング部５６，搬送ローラ対５７，トレーラーカッター５８が配置されている。これらはマイクロコンピュータや各種制御回路からなる副制御部６０によって制御される。副制御部６０は、製造装置全体を制御する主制御部３５によって制御され、また適宜得たデータを主制御部３５に入力する。
【００２６】
搬送ローラ対５３は、長尺トレーラー５１を挟み込んで回転してトレーラーロール５２から長尺トレーラー５１を引き出すためのもので、副制御部６０に接続されたモータ６２によって回転駆動される。可動ローラ５４は、上下方向で移動自在とされており、図示しないがバネによって下方に向けて引っ張られている。この可動ローラ５４の近傍には、可動ローラ５４の下方への移動を検出するセンサ６３が設けられており、このセンサ６３の検出信号は副制御部６０に入力される。なお、図示しないが、可動ローラ５４の近傍には長尺トレーラー５１の静電気を除去する除電装置が配置されている。
【００２７】
シール貼付部５５は、ロール状に巻かれた離型紙ロール６５から封印シール１０を剥がし、長尺トレーラー５１の表面の所定の位置に貼り付ける。
【００２８】
トリミング部５６は、長尺トレーラー５１の外形のトリミングを行うもので、ダイス部５６ａとパンチ部５６ｂとから構成されている。長尺トレーラー５１は、このトリミング部５６でトレーラー６の他端６ｂに該当する部分が幅狭にされる。
【００２９】
搬送ローラ対５７は、長尺トレーラー５１を第３ステーションＳＴ３のスプールホルダ３７にセットされたスプール３に向けて搬送し、長尺トレーラー５１の端部（トレーラー６の他端６ｂ）をスプール３のスリット１５に挿入する。トレーラーカッター５８は、スプール３が巻き込み方向に回転して長尺トレーラー５１がスプール３の軸部１２に巻き込まれた後に、長尺トレーラー５１を規定長さのトレーラー６に切断する。
【００３０】
フイルム供給ライン２７は、暗室内に設けられている。フイルム供給ライン２７の端部には、長尺写真フイルム６７がロール状に巻かれたフイルムロール６８が配置されている。フイルムロール６８から引き出された長尺写真フイルム６７は、乳剤面が上方に向けられた状態で図中左方に向けて搬送される。この搬送路沿いには、搬送ローラ対６９，可動ローラ７０，サクションドラム７１，搬送ローラ対７２，フイルムカッター７３が配置されている。これらはマイクロコンピュータや各種制御回路からなる副制御部７５によって制御される。副制御部７５は、製造装置全体を制御する主制御部３５によって制御され、また適宜得たデータを主制御部３５に入力する。
【００３１】
搬送ローラ対６９は、長尺写真フイルム６７を挟み込んで回転してフイルムロール６８から長尺写真フイルム６７を引き出すためのもので、副制御部７５に接続されたモータ７７によって駆動される。可動ローラ７０は、上下方向で移動自在とされており、図示しないがバネによって下方に向けて引っ張られている。この可動ローラ７０の近傍には、可動ローラ７０の下方への移動を検出するセンサ７８が設けられており、このセンサ７８の検出信号は副制御部７５に入力される。
【００３２】
サクションドラム７１は、モータ７７によって回転されるとともに周面に多数のエアー吸引孔が設けられており、長尺写真フイルム６７をエアーの吸引によって密着させながらスリップを生じさせないようにして搬送する。サクションドラム７１で支持された長尺写真フイルム６７の乳剤面に対面して、プリントヘッド８０が設けられている。
【００３３】
プリントヘッド８０は、長尺写真フイルム６７の搬送方向に対して直交する向きにライン状に配列された多素子発光部と、これらからの光を長尺写真フイルム６７のエッジ部分に縮小して結像させる光学系とから構成され、副制御部７５に含まれる制御回路とともにサイドプリント部を構成している。このサイドプリント部は、入力されたプリントデータにしたがって長尺写真フイルム６７にサイドプリントを行う。サイドプリント部に入力されるプリントデータは、例えばオペレータ等によって主制御部３５に入力されるフイルム情報と製造情報とが副制御部７５に送出され、副制御部７５によってプリントデータに変換されてサイドプリント部に入力される。
【００３４】
サクションドラム７１の下流側に配置された搬送ローラ対７２は、長尺写真フイルム６７を下流側に配置されたフイルムカッター７３に向けて搬送する。このフイルムカッター７３は、可動刃と固定刃とからなり、副制御部７５に制御されて長尺写真フイルム６７を規定長さの写真フイルムストリップ４に切断する。
【００３５】
フイルムカッター７３によって切断された写真フイルムストリップ４はフイルム搬送路８２に送り込まれ、このフイルム搬送路８２内をスプールターレット３３の第４ステーションＳＴ４に向けて搬送される。フイルム搬送路８２の途中には、第３ステーションＳＴ３でスプール３に巻き込まれたトレーラー６の一端６ａと写真フイルムストリップ４の後端４ｂとを接着テープ８で接続する第１テープ貼付手段である第１テープ貼付部８３が配置されている。
【００３６】
第１テープ貼付部８３は、接着テープ８が連続して貼付された長尺離型紙から接着テープ８を剥がして供給するテープ供給部８５と、このテープ供給部８５から供給された接着テープ８を例えばエアー吸引等によって吸着保持し、トレーラー６と写真フイルムストリップ４とに貼り付ける吸着ヘッド８６とから構成されている。この第１貼付部８３は、副制御部７５によって制御される。
【００３７】
リーダー供給ライン２８の端部には、長尺リーダー８８がロール状に巻かれたリーダーロール８９が配置されている。このリーダーロール８９は、予めリーダー５が連続して印刷された帯状の遮光紙からなり、リーダー５の一端５ａが先頭となるように裏面側が上方を向いている状態で図中左方に搬送される。この搬送路沿いには、搬送ローラ対９０，可動ローラ９１，トリミング部９２，搬送ローラ対９３，リーダーカッター９４，第２テープ貼付部９５が配置されている。これらはマイクロコンピュータや各種制御回路からなる副制御部９６によって制御される。副制御部９６は、製造装置全体を制御する主制御部３５によって制御され、また適宜得たデータを主制御部３５に入力する。
【００３８】
搬送ローラ対９０は、長尺リーダー８８を挟み込んで回転して、リーダーロール８９から長尺リーダー８８を引き出すためのもので、副制御部９６に接続されたモータ９８によって回転駆動される。可動ローラ９１は、上下方向で移動自在とされており、図示しないがバネによって下方に向けて引っ張られている。この可動ローラ９１の近傍には、可動ローラ９１の下方への移動を検出するセンサ９９が設けられており、このセンサ９９の検出信号は副制御部９６に入力される。なお、図示しないが、可動ローラ９１の近傍には長尺リーダー８８の静電気を除去する除電装置が配置されている。
【００３９】
トリミング部９２は、長尺リーダー８８の外形のトリミングを行うもので、ダイス部９２ａとパンチ部９２ｂとから構成されている。長尺リーダー８８は、このトリミング部９２でリーダー５の他端５ｂに該当する部分が幅狭にされ、更に係止穴１７が穿孔される。
【００４０】
搬送ローラ対９３は、長尺リーダー８８を第５ステーションＳＴ５のスプールホルダ３７にセットされたスプール３に向けて搬送し、長尺リーダー８８の端部（リーダー５の一端５ａ）を写真フイルムストリップ４の先端４ａに突き合わせる。リーダーカッター９４は、長尺リーダー８８の端部が写真フイルムストリップ４の接着テープ７で接着された後に、長尺リーダー８８を規定長さのリーダー５に切断する。
【００４１】
第２テープ貼付部９５は、第１テープ貼付部８３と同様の構成とされており、接着テープ７が連続して貼付された長尺離型紙から接着テープ７を剥がして供給するテープ供給部１０１と、このテープ供給部１０１から供給された接着テープ７を例えばエアー吸引等によって吸着保持し、リーダー５と写真フイルムストリップ４とに貼り付ける吸着ヘッド１０２とから構成されている。
【００４２】
次に、上記実施形態の作用について、図１のフローチャートを参照しながら説明する。図５に示す製造装置によって写真用ロールフイルム２を製造する際には、まず始めに製造する写真用ロールフイルム２に使用するスプール３がスプール供給部３９に、トレーラーロール５２がトレーラー供給ライン２６に、フイルムロール６８がフイルム供給ライン２７に、リーダーロール８９がリーダー供給ライン２８に、それぞれオペレータ等によってセットされる。
【００４３】
製造装置がスタートされると、副制御部３０は主制御部３５の制御によってスプール供給ライン２５を作動させる。副制御部３０は、制御下にあるモータ３１でスプールターレット３３を軸３２を中心に図中時計方向に間欠に回転させる。
【００４４】
スプールターレット３３の回転により、空のスプールホルダー３７が第１ステーションＳＴ１に停止すると、スプール供給部３９から供給されたスプール３がスプールホルダ３７にセットされる。更にスプールターレット３３が回転されるとスプール３は第２ステーションＳＴ２に搬送され、スプール位置決め部４０によってスリット１５の向きが位置決めされる。また、更にスプールターレット３３が回転されると、スプール３は第３ステーションＳＴ３に搬送される。
【００４５】
上記スプール供給ライン２５の作動と同時に、トレーラー供給ライン２６も作動されている。副制御部６０は主制御部３５の制御によって、制御下にあるモータ６２で搬送ローラ対５３を回転駆動する。搬送ローラ対５３は、長尺トレーラー５１を挟み込んで回転し、長尺トレーラー５１をトレーラーロール５２から引き出す。これにより、可動ローラ５４がバネの付勢によって下方に移動し、可動ローラ５４がセンサ６３によって検出される。センサ６３の検出信号は副制御部６０に入力され、副制御部６０はこの検出信号に基づいて搬送ローラ対５３の回転を停止し、搬送ローラ対５７を回転させる。これにより、可動ローラ５４の移動によって溜められた一定長さの長尺トレーラー５１は、シール貼付部５５に向けて搬送される。また、搬送ローラ対５３の回転・停止の制御は、長尺トレーラー５１に印刷されたトレーラー６のマークを光電センサ等で検知して行うこともできる。
【００４６】
シール貼付部５５では、離型紙ロール６５から封印シール１０が剥離され、長尺トレーラー５１の表面の所定位置に貼り付けられる。
【００４７】
封印シール１０が貼付された長尺トレーラー５１は、トリミング部５６に搬送される。トリミング部５６では、パンチ部５６ｂが下降してダイス部５６ａとで長尺トレーラー５１を挟み込み、印刷されているトレーラー６の他端６ｂに該当する部分を幅狭にトリミングする。また、このトリミング時に長尺トレーラー５１のトレーラー６へのカットを同時に行うこともできる。
【００４８】
トリミング部５６でトリミングが施された長尺トレーラー５１は、搬送ローラ対５７の回転によって第３ステーションＳＴ３に停止されているスプール３に向けて搬送され、端部（トレーラー６の他端６ｂ）がスプール３のスリット１５に挿入される。すると、スプールホルダ３７のモータ（図示せず）が駆動され、スプール３が巻込み方向に回転されて軸部１２に長尺トレーラー５１が数回転分巻き込まれる。
【００４９】
長尺トレーラー５１が所定長さ分スプール３に巻き込まれると、スプール３の回転が停止され、トレーラーカッター５８によって長尺トレーラー５１がトレーラー６となるように切断される。スプールターレット３３は、トレーラー６が巻き緩まないように軸部１２をスプールホルダ３７で押さえ、トレーラー６の一端６ａ側がスプール３から飛び出している状態のまま第４ステーションＳＴ４に搬送する。
【００５０】
また、スプール供給ライン２５，トレーラー供給ライン２６と同時にフイルム供給ライン２７も作動されている。副制御部７５は主制御部３５の制御によって、制御下にあるモータ７７で搬送ローラ対６９を回転駆動する。搬送ローラ対６９は、長尺写真フイルム６７を挟み込んで回転し、長尺写真フイルム６７をフイルムロール６８から引き出す。これにより、可動ローラ７０がバネの付勢によって下方に移動し、可動ローラ７０がセンサ７８によって検出される。センサ７８の検出信号は副制御部７５に入力され、副制御部７５はこの検出信号に基づいて搬送ローラ対６９の回転を停止し、搬送ローラ対７２を回転させる。これにより、可動ローラ７０の移動によって溜められた一定長さの長尺写真フイルム６７は、サクションドラム７１に向けて搬送される。
【００５１】
サクションドラム７１に搬送された長尺写真フイルム６９は、エアー吸引によってサクションドラム７１の周面に密着され、スリップしないように搬送される。また、主制御部３５に入力されていたフイルム情報と製造情報は、副制御部７５によってプリントデータに変換され、プリントヘッド８０によって長尺写真フイルム６７の端縁にサイドプリントされる。
【００５２】
サイドプリントが行われた長尺写真フイルム６７は、搬送ローラ対７２によってフイルムカッター７３に向けて搬送される。このフイルムカッター７３は、副制御部７５からの指令によって撮影規定枚数に応じた長さに長尺写真フイルム６９を切断し、撮影可能コマ数に応じた所定の長さの写真フイルムストリップ４にする。
【００５３】
写真フイルムストリップ４は、後端４ｂを先頭にしてフイルム搬送路８２内をスプール供給ライン２５の第４ステーションＳＴ４に向けて搬送され、スプール３に巻き込まれているトレーラー６の一端６ａに後端４ｂが突き合わされる。
【００５４】
フイルム搬送路８２上に配置された第１テープ貼付部８３は、テープ供給部８５によって接着テープ８を吸着ヘッド８６に供給する。吸着ヘッド８６は、接着テープ８をエアー吸引等で吸着保持し、突き合わされているトレーラー６の一端６ａと写真フイルムストリップ４の後端４ｂとに貼り付け、これらを接合する。
【００５５】
副制御部３０は、トレーラー６と写真フイルムストリップ４とが接合されると、スプールホルダ３７のモータを駆動させ、スプール３を巻込み方向に回転させる。これにより、トレーラー６の一端６ａ側とともに写真フイルムストリップ４がスプール３の軸部１２に巻き込まれる。スプールターレット３３は、写真フイルムストリップ４が巻き緩まないようにスプールホルダ３７で軸部１２を押さえ、写真フイルムストリップ４の先端４ａ側がスプール３から飛び出している状態のまま、スプール３を第５ステーションＳＴ５に搬送する。
【００５６】
また、上記スプール供給ライン２５，トレーラー供給ライン２６，フイルム供給ライン２７の作動と同時に、リーダー供給ライン２８も作動されている。副制御部９６は、主制御部３５の制御によって制御下にあるモータ９８で搬送ローラ対９０を回転駆動する。搬送ローラ対９０は、長尺リーダー８８を挟み込んで回転し、長尺リーダー８８をリーダーロール８９から引き出す。これにより、可動ローラ９１がバネの付勢によって下方に移動し、可動ローラ９１がセンサ９９によって検出される。センサ９９の検出信号は副制御部９６に入力され、副制御部９６はこの検出信号に基づいて搬送ローラ対９０の回転を停止し、搬送ローラ対９３を回転させる。これにより、可動ローラ９１の移動によって溜められた一定長さの長尺リーダー８８は、トリミング部９２に向けて搬送される。また、搬送ローラ対９０の回転・停止の制御は、長尺リーダー８８に印刷されたリーダー５のマークを光電センサ等で検知して行うこともできる。
【００５７】
トリミング部９２では、パンチ部９２ｂが下降してダイス部９２ａとで長尺リーダー８８を挟み込み、印刷されているリーダー５の一端５ｂに該当する部分を幅狭にトリミングするとともに、係止穴１７を穿孔する。また、このトリミング時に長尺リーダー８８のリーダー５へのカットを同時に行うこともできる。
【００５８】
トリミング部９２でトリミングが施された長尺リーダー８８は、搬送ローラ対９３の回転によってスプール供給ライン２５の第５ステーションＳＴ５に向けて搬送され、スプール３から突出されている写真フイルムストリップ４の先端４ａに端部（リーダー５の一端５ａ）が突き合わされる。
【００５９】
第２テープ貼付部９５は、テープ供給部１０１によって接着テープ７を吸着ヘッド１０２に供給する。吸着ヘッド１０２は、接着テープ７をエアー吸引等で吸着保持し、突き合わされている長尺リーダー８８の他端と写真フイルムストリップ４の先端４ａとに貼り付け、これらを接合する。副制御部９６は、長尺リーダー８８と写真フイルムストリップ４とが接合されると、リーダーカッター９４によって長尺リーダー８８を規定長さのリーダー５に切断する。
【００６０】
また、接着テープ７は、第４ステーションＳＴ４で写真フイルムストリップ４の先端４ａがスプール３から飛び出している状態の時点、あるいはフイルム搬送路８２上に写真フイルムストリップ４の先端４ａがある時点で、別装置にて貼り付けを行い、第２テープ貼付部９５では接着テープ７を押圧して圧着させて写真フイルムストリップ４とリーダー５とを接合することもできる。
【００６１】
また、副制御部３０は、スプールホルダ３７のモータを駆動させ、スプール３を巻込み方向に回転させる。これにより、写真フイルムストリップ４の先端４ａ側とともにリーダー５がスプール３の軸部１２に全て巻き込まれる。スプールターレット３３は、リーダー５が巻き緩まないように軸部１２をスプールホルダ３７で押さえた状態で、スプール３を第６ステーションＳＴ６に搬送する。
【００６２】
第６ステーションＳＴ６では、折込み部４２によってリーダー５の他端５ｂが内側に折り込まれる。また、第７ステーションＳＴ７では、シール巻付け部４４によって離型紙ロール４５に貼付されている開封シール９に製造情報等が印字され、この開封シール９が離型紙ロール４５から剥離されてリーダー５の外周に巻き付けられる。
【００６３】
開封シール７が巻き付けられて完成した写真用ロールフイルム２は、スプールターレット３３の回転によって第８ステーションＳＴ８に搬送される。このステーションでは、巻径計測部４７によって巻径の太さが計測される。この計測結果は、副制御部３０から主制御部３５に入力されて保存される。
【００６４】
第９ステーションＳＴ９に搬送された写真用ロールフイルム２は、主制御部３５に保存された巻径計測結果が規定値内にない場合に、排出部４８によってスプールホルダ３７から取り出され、装置外に排出される。また、巻径計測結果が規定値内にあった写真用ロールフイルム２は、第１０ステーションＳＴ１０で集積部４９に送り出され、次の包装装置等に搬送される。
【００６５】
【発明の効果】
以上説明したように、本発明の写真用ロールフイルムの製造方法及び装置によれば、スプールにトレーラーを巻き込んでからトレーラーと写真フイルムストリップとを接合し、この写真フイルムストリップをスプールに巻き込んでからリーダーと接合するようにしたので、それぞれの接合に位置ずれが発生しにくくなる。また、それぞれの接合に位置ずれが発生しても巻き込み時の影響が少なくなるので、巻き込み不良等は発生しなくなる。
【図面の簡単な説明】
【図１】写真用ロールフイルムの製造方法を示すフローチャートである。
【図２】写真用ロールフイルムの外観を示す斜視図である。
【図３】写真用ロールフイルムの構成を示す分解斜視図である。
【図４】スプールのスリット内を示す正面図である。
【図５】写真用ロールフイルムの製造装置の構成を示す概略図である。
【符号の説明】
２  写真用ロールフイルム
３  スプール
４  写真フイルムストリップ
５  リーダー
６  トレーラー
７，８  接着テープ
１２  軸部
２５  スプール供給ライン
２６  トレーラー供給ライン
２７  フイルム供給ライン
２８  リーダー供給ライン
３７  スプールホルダ
８３  第１テープ貼付部
９５  第２テープ貼付部
【図１】
0003677132.tif 000002
【図２】
0003677132.tif 000003
【図３】
0003677132.tif 000004
【図４】
0003677132.tif 000005
【図５】
0003677132.tif 000006